(57)【特許請求の範囲】
【請求項１】
複数のリムを備え、
前記リムは、発泡材により作られている発泡体、および、前記発泡体の外部に覆設され繊維複合材料により形成されている繊維複合材料製外層部を有し、前記繊維複合材料製外層部が環状に連接されることで車輪フレームを形成し、
二つずつ隣接している前記リムの接続面は、接続した後に支持面を形成し、
前記支持面は、リブ構造として車輪フレームを支持することができ、
前記リムの前記発泡体は複数の溝部を有し、
前記リムの前記繊維複合材料製外層部は、一部が前記発泡体の前記溝部内を充填しており、
前記リムの前記発泡体の前記溝部は、前記リムの長軸方向に沿って延伸し、前記発泡体を囲んでおり、
前記リムの前記繊維複合材料製外層部は、タイヤを設置するのに用いられる外側部と、前記外側部とは反対側に位置している内側部と、前記外側部と前記内側部とを連接する二つの接続面および二つの側面を有しており、
互いに隣接している二つの前記リムの前記接続面は、繊維複合材料により連接されており、
前記リムの前記発泡体は、前記接続面側に溝部が形成されていることを特徴とする繊維複合材料製車輪フレーム。
【請求項２】
複数のリムを備え、
前記リムは、発泡材により作られている発泡体、および、前記発泡体の外部に覆設され繊維複合材料により形成されている繊維複合材料製外層部を有し、前記繊維複合材料製外層部が環状に連接されることで車輪フレームを形成し、
二つずつ隣接している前記リムの接続面は、接続した後に支持面を形成し、
前記支持面は、リブ構造として車輪フレームを支持することができ、
前記リムの前記発泡体は複数の溝部を有し、
前記リムの前記繊維複合材料製外層部は、一部が前記発泡体の前記溝部内を充填しており、
前記リムの前記発泡体の前記溝部は、前記リムの短軸方向に沿って延伸し、前記発泡体を囲んでおり、
前記リムの前記繊維複合材料製外層部は、タイヤを設置するのに用いられる外側部と、前記外側部とは反対側に位置している内側部と、前記外側部と前記内側部とを連接する二つの接続面および二つの側面を有しており、
互いに隣接している二つの前記リムの前記接続面は、繊維複合材料により連接されており、
前記リムの前記発泡体は、前記接続面側に溝部が形成されていることを特徴とする繊維複合材料製車輪フレーム。
【請求項３】
前記リムの前記繊維複合材料外層部は、二つの前記外側部から延出している鉤部をさらに有することを特徴とする請求項１または２に記載の繊維複合材料製車輪フレーム。
【発明の詳細な説明】
【技術分野】
【０００１】
本発明は、タイヤを設置するのに用いられる車輪フレームに関し、特に、繊維複合材料製車輪フレームに関する。
【背景技術】
【０００２】
特許文献１に記載の発明では、従来の自転車における車輪フレームが、中空状態を呈している。車輪フレームは、外側部にタイヤ溝が形成され、タイヤの接着または嵌設に用いられる。車輪フレームは、内側部に複数のスポークを接続するのに用いられ、複数のスポークにより自転車のハブと接続されており、さらにハブと連動して回転する。
【０００３】
従来の自転車における車輪フレームは、材質が鉄であり、その構造は強固であるが、重量が大きいので、車輪フレームの重量を軽減するために、その後、車輪フレームの材質の多くがアルミニウムに変えられた。しかしながら、従来のアルミニウム合金製車輪フレームは、５０ｍｍ以上のフライホイールのフレームおよびバトンホイールまたはディスクホイールを製造するときの生産方法が困難である。また、現在において、自転車の構造は、日増しに軽量化になり、車体は、硬質で、且つ比重がアルミニウムより小さい炭素繊維複合材料により製造されるほか、一部の車輪フレームの材質も炭素繊維複合材料に変えられた。たとえば、上述の特許発明者のようである。
【０００４】
しかしながら、炭素繊維複合材料は、すべてブロー成形であり、内部は、中空状態であるため、厚さが小さすぎると断裂しやすくなる。逆に厚さを増大すると、軽量化の目的を実現することができない。さらに、ブロー成形された車輪フレームは、比較的に柔らかいので、運転者の作用力またはねじり力を完全かつ有効にタイヤに伝達することができないだけでなく、方向転換操作による破裂をもたらすおそれがある。
【先行技術文献】
【特許文献】
【０００５】
【特許文献１】台湾特許第Ｉ３２９０８０号明細書
【発明の概要】
【発明が解決しようとする課題】
【０００６】
本発明は、上述の問題に鑑みてなされたものであり、その目的は、重量が軽いだけでなく断裂し難い繊維複合材料製車輪フレームを提供することにある。
【課題を解決するための手段】
【０００７】
上述の目的に達成するために、本発明の繊維複合材料製車輪フレームは、複数のリムを備える。各リムは、発泡材により作られた発泡体、および、発泡体の外部に覆設され繊維複合材料によって作られた繊維複合材料製外層部を有する。複数のリムは、繊維複合材料製外層部により環状に連接されている。よって、繊維複合材料製車輪フレームは、非常に薄い繊維複合材料製外層部を有するにもかかわらず、複数の発泡体の緩衝作用により、断裂しがたい性質をもっているだけでなく、重量も非常に軽くなるメリットがある。また、繊維複合材料製車輪フレームは、一体成形により成形されていないが、リムは、すべて繊維複合材料製外層部をもって相互に接続されているため、良好な接合効果を有する。よって、繊維複合材料製車輪フレームは、異なる材料が熱を受けて相互に分離する問題を抑制することができる。
【０００８】
本発明による繊維複合材料製車輪フレームの具体的な構造と特徴および組立方法または使用方法について、後続の実施形態で詳細に説明する。但し、下記の詳細な説明および本発明を実施するために挙げる特定の実施形態は、単なる本発明を説明するためであって、本発明の特許請求の範囲を制限するものではない。
【図面の簡単な説明】
【０００９】
【図１】本発明の第一実施形態による繊維複合材料製車輪フレームを示す平面図である。
【図２】本発明の第一実施形態による繊維複合材料製車輪フレームのリムを示す斜視図である。
【図３】図２の３−３線断面図である。
【図４】本発明の第一実施形態による繊維複合材料製車輪フレームを自転車に応用した状態を示す図である。
【図５】本発明の第二実施形態による繊維複合材料製車輪フレームにおけるリムを示す断面図である。
【図６】本発明の第三実施形態による繊維複合材料製車輪フレームにおけるリムを示す斜視図である。
【図７】図６の７−７線断面図である。
【図８】図６の８−８線断面図である。
【図９】図６の９−９線断面図である。
【図１０】図６の１０−１０線断面図である。
【図１１】図１の１１−１１線断面図である。
【発明を実施するための形態】
【００１０】
以下に実施形態と図面とを合わせて、本発明の技術内容および特徴を詳細に説明する。予め説明すべきことは、以下に紹介する実施形態および図面における同一番号は、同一または類似する部材、またはその構造特徴を示している。
【００１１】
（第一実施形態）
図１に示すように、本発明の第一実施形態における繊維複合材料製車輪フレーム１０は、十二個のリム２０を有する。図２および図３に示すように、各リム２０は、発泡体３０、および、発泡体３０の外部に覆設されている繊維複合材料製外層部４０を有する。
【００１２】
発泡体３０は、発泡材により作られている。発泡材は、たとえば、ポリウレタン（Ｐｏｌｙｕｒｅｔｈａｎｅ；略称はＰＵである）またはポリカーボネート（Ｐｏｌｙｃａｒｂｏｎａｔｅ；略称はＰＣである）のような材料である。これらの材料は、高靭性および耐衝突性を有する。
【００１３】
繊維複合材料製外層部４０は、炭素繊維、ガラス繊維またはその他のポリエステル繊維の複合材料により作られ、硬質で比重が小さく、耐高温性および耐食性をもっている。本実施形態においては、炭素繊維を例にして説明する。発泡体３０は、特定の形状に作られ、繊維複合材料製外層部４０が、発泡体３０に覆設された後、陥凹状を呈する外側部４２、凸出状を呈する内側部４４、および、外側部４２と内側部４４との間連接する二つの接続面４６と二つの側面４８とを形成する。各接続面４６と他のリム２０の接続面４６とは、熱圧の方法により相互に固着される。よって、複数のリム２０は、繊維複合材料製外層部４０における接続面４６により、車輪フレーム１０が円環状に接続される。二つの隣接するリムの接続面４６は、接続した後に支持面を形成する。支持面は、二つの隣接するリムの外側部４２、内側部４４および二つの側面４８を連結することにより、車輪フレームにＩ型縦材のような支持効果を与えることができる。
【００１４】
図４に示すように、車輪フレーム１０は、タイヤ５０を複数のリム２０における繊維複合材料製外層部４０の外側部４２に設置するのに用いられ、複数のスポーク６０により自転車の運転者の駆動により回転可能であるハブ７０に接続する。このとき、各リム２０における繊維複合材料製外層部４０の内側部４４は、ハブ７０側に向いている。
【００１５】
繊維複合材料について説明すべきことは、本発明の重点は、車輪フレーム１０が緩衝作用を有する発泡体３０、および、発泡体３０の外部に覆設している繊維複合材料製外層部４０から成り、且つ複数のリム２０により同一材料（繊維複合材料）をもって接続することにより車輪フレーム１０の重量が非常に軽いだけでなく、発泡体を設置することにより全体の車輪フレームが、中の詰まっている構造になることで、繊維複合材料製外層部４０は、非常に薄いにもかかわらず、断裂しがたい。また、繊維複合材料製車輪フレーム１０のリム２０の数量は制限がない。三つ、五つ、八つまたは十個でも構わない。リムの数量が円環状に連接することができればよい。
【００１６】
（第二実施形態）
上述の実施形態において、タイヤ５０は、粘着する方法により複数のリム２０における繊維複合材料製外層部４０の外側部４２に固定される。
図５に示すように、本発明の第二実施形態は、他の種類の繊維複合材料製車輪フレームを提供する。このリム８０と上述したリム２０との相違点は、リム８０における繊維複合材料製外層部９０は、二つの外側部９２から延出する鉤部９４をさらに有することである。よって、鉤部９４とタイヤとが係合することにより、タイヤと車輪フレームとの結合の安定性高めることができる。
【００１７】
（第三実施形態）
図６から図１０に示すように、本発明の第三実施形態は、他の繊維複合材料製車輪フレームを提供する。このリム２０´と上述のリム２０との相違点は、リム２０´の発泡体３０´に二つの溝部３２´が形成されており、リム２０´の繊維複合材料製外層部４０´が発泡体３０´に覆設された場合、繊維複合材料製外層部４０´の一部が複数の溝部３２´内を充填することにより、補強リブ４２´がさらに形成されていることである。よって車輪フレームの構造強度がさらによくなるだけでなく、繊維複合材料製外層部４０´と発泡体３０´との結合効果がさらによくなる。第三実施形態において、各溝部３２´および補強リブ４２´は、リム２０´の長軸方向に延伸している。すなわち繊維複合材料製外層部４０´の一つの接続面４６´の位置から他の接続面４６´に向いて延伸し、且つ接続面においても溝部が延伸して形成されている。よって、図８に示すように、二つの接続面が接続するときの結合強度を増加することができる。但し、各リム２０´の溝部３２´と補強リブ４２´の数量および形態は横方向の補強リブに限らない。図６と図９および図１０に示すリム２０´のように、その発泡体３０´の溝部３２´´および繊維複合材料製外層部４０´の補強リブ４２´´は、発泡体３０´を周回している。
【００１８】
本発明の特徴は以下のとおりである。
発泡材を心材とし、発泡材に溝部を形成することにより補強リブが形成される。これは、ブロー成形された繊維複合材料製車輪フレームが、達成できない構造である。タイヤを組み立てるとき、車輪フレームとハブとは、スポークにおける鋼線が、一定の張力を加えることにより組み立てられ、スポークと車輪フレームとが所定の夾角を呈し、この夾角は、車輪フレームに側面方向の内部応力を発生させる。このとき、発泡材間の補強リブは、中空状態の車輪フレームよりに優れた高抗張力強度を発生し、車輪フレームの側面方向の内部応力を最小になるまで減少させ、スポークの張力の増大および保持がさらに容易となるようにする。
【００１９】
車輪フレームは、ブレーキをかけたとき、ブレーキパッドと摩擦することにより発熱する。従来の中空状態の炭素繊維製車輪フレームは、支持部がないため、発熱による変形生じる。これに対し、本発明における車輪フレームは、発泡材の支持により、車輪フレームが変形する状況を抑制することができる。
【００２０】
リブ構造を加えた発泡材車輪フレームは、乗車するとき、中空車輪フレームに比べて、応力および振動を分散および吸収する効果をさらに高めることができるので、乗車がさらに快適となる。
【００２１】
リブ構造を加えた発泡材車輪フレームは、各方向における剛性およびねじり力が、中空状態の車輪フレームより優れているため、踏み込みの力がさらに完全に伝達され、踏み込み効率をさらに容易に発揮させることができる。
【００２２】
最後に、再び説明すべきことは、本発明の実施形態に記載されている構成部材は、発明を説明するためであり、本発明の特許請求の範囲を限定するものではない。バトンホイールやディスクホイールのような他の部材への等価置換または変化は、いずれも本発明の特許請求の範囲に属する。
【符号の説明】
【００２３】
１０  繊維複合材料製車輪フレーム
２０  リム
３０  発泡体
４０  繊維複合材料製外層部
４２  外側部
４４  内側部
４６  接続面
４８  側面
５０  タイヤ
６０  スポーク
７０  ハブ
８０  リム
９０  繊維複合材料外層部
９２  外側部
９４  鉤部
２０´  リム
３０´  発泡体
３２´  溝部
４０´  繊維複合材料製外層部
４２´  補強リブ
４６´  接続面
３２´´  溝部
４２´´  補強リブ
【図１】
0006025855.tif 000002
【図２】
0006025855.tif 000003
【図３】
0006025855.tif 000004
【図４】
0006025855.tif 000005
【図５】
0006025855.tif 000006
【図６】
0006025855.tif 000007
【図７】
0006025855.tif 000008
【図８】
0006025855.tif 000009
【図９】
0006025855.tif 000010
【図１０】
0006025855.tif 000011
【図１１】
0006025855.tif 000012